【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
情報を入力するための入力部と、情報を表示するための出力部と、PIN認証処理を実行する認証デバイスを接続するための認証デバイス接続部と、を備え、
情報を格納しておくための記憶部と、上記記憶部、上記入力部、上記出力部、および上記認証デバイスを制御する制御部と、にアクセス可能に構成された情報処理端末であって、
上記制御部は、
ユーザが上記入力部から入力するPIN情報を用いたPIN認証を、上記認証デバイスに指示するPIN認証指示手段と、
上記認証デバイスから上記PIN認証の成功の通知を受けたことを条件に、上記PIN認証に成功した上記PIN情報を、上記記憶部に格納するPINキャッシュ格納手段と、
上記認証デバイスから上記PIN認証の成功の通知を受けたことを条件に、OSログイン情
報を用いたOSログイン認証を指示するOS認証指示手段と、
上記OSログイン認証に成功した上記OSログイン情報を、上記認証デバイスに格納するOS認証情報格納手段と、を備える情報処理端末。
【請求項２】
携帯情報端末との通信を行うための通信部を備え、
上記制御部は、
上記入力部を介して入力された上記携帯情報端末を識別するための認証キーを、上記記憶部に格納する無線通信設定手段と、
上記記憶部の認証キーと上記携帯情報端末から送付される認証キーが同一であると判断した場合に、当該携帯情報端末が連携機能を有すると判定する接続機器判定手段と、
上記携帯情報端末との無線通信の接続状態を監視する無線接続状態監視手段と、
OSのユーザ操作状態を変更する操作状態変更手段と、を備え、
上記無線接続状態監視手段は、上記情報処理端末と連携機能を有すると判定された携帯情報端末との間の無線通信が切断されたことを検出する機能を有し、
上記操作状態変更手段は、上記無線通信の切断を契機に、OSに対して操作状態のロックあるいはログオフを指示するように制御する、請求項１の情報処理端末。
【請求項３】
上記制御部は、
上記無線接続状態監視手段が、上記情報処理端末と連携機能を有する上記携帯情報端末との間の無線接続が再開したと判断した場合に、上記記憶部から上記PIN情報を取得するPINキャッシュ取得手段を備え、
上記OS認証指示手段は、上記認証デバイスに格納されている上記OSログイン情報を取得するための指示を行う機能を有し、
上記PIN認証指示手段は、上記認証デバイスに上記取得したPIN情報を送付してPIN認証を指示する機能を有し、
上記OS認証指示手段は、上記PIN認証が成功した場合に、上記認証デバイスから取得した上記OSログイン情報を用いてOS認証を指示する機能を有し、
上記操作状態変更手段は、上記OS認証の結果に基づいて、OSに対してロックあるいはログオフ状態の解除を指示するように制御する、請求項２の情報処理端末。
【請求項４】
上記無線接続状態監視手段は、上記情報処理端末と上記携帯情報端末の無線通信の強度に基づいて無線通信の接続または切断を判断し、
上記情報処理端末と連携機能を有する上記携帯情報端末との間の無線通信が切断されたと判断するための無線通信の強度の閾値を、無線接続が再開したと判断する無線通信の強度の閾値より相対的に低く設定する、請求項３の情報処理端末。
【請求項５】
入力部、出力部、記憶部、処理部を有し、さらに携帯情報端末との通信を行う通信部と、認証デバイスとの接続を行う認証デバイス接続部を有する、情報処理システムにおける情報処理方法であって、
上記処理部は、
上記入力部に入力された第１の認証情報を、上記認証デバイスに送信し、上記第１の認証情報を用いた第１の認証処理の実行を指示するステップと、
上記認証デバイスから上記第１の認証処理が成功した旨の返信を受信した後、上記第１の認証情報を上記記憶部に格納するステップと、
上記認証デバイスから上記第１の認証処理が成功した旨の返信を受信した後、上記入力部から入力された第２の認証情報を用いて、上記処理部による第２の認証処理の実行を指示するステップと、
上記第２の認証処理が成功した後、上記認証デバイスに上記第２の認証情報を送信し、
格納を指示するステップと、
上記入力部に入力された第３の認証情報を上記記憶部に格納するステップと、
上記通信部によって、上記携帯情報端末との通信を行うステップと、
上記第３の認証情報を用いて、上記携帯情報端末との連携の有無を判断するステップと、
上記連携を有する携帯情報端末と上記通信部との間の、無線通信の状態を判断するステップと、
上記無線通信の状態に基づいて、情報処理システムの少なくとも一部に対する操作を制限するステップと、を有し、
上記操作を制限するステップは、
上記連携を有する携帯情報端末と上記通信部との間の無線通信が切断されるか、受信信号強度が所定閾値を下回るか、あるいは、エラーレートが所定閾値を上回る場合、操作を制限する情報処理システムにおける情報処理方法。
【請求項６】
上記連携を有する携帯情報端末と上記通信部との間の無線通信が接続されるか、受信信号強度が所定閾値を上回るか、あるいは、エラーレートが所定閾値を下回る場合、情報処理システムの少なくとも一部に対する操作の制限を解除するステップを有し、
上記制限を解除するステップは、
上記記憶部から上記第１の認証情報を取得して、取得した上記第１の認証情報を上記認証デバイスに送信し、上記第１の認証情報を用いた第１の認証処理の実行を指示するステップと、
上記認証デバイスから上記第２の認証情報を取得して、取得した第２の認証情報を用いて、上記処理部で第２の認証処理の実行を指示するステップと、
上記第１及び第２の認証処理の成功を条件に、上記情報処理システムに対する操作の制限を解除するステップを有する、請求項５の情報処理システムにおける情報処理方法。
【請求項７】
上記操作を制限するステップと上記制限を解除するステップは、
上記連携を有する携帯情報端末と上記通信部と間の無線通信の強度に基づいて無線通信の接続または切断を判断し、
上記無線通信が切断されたと判断するための無線通信の強度の閾値を、無線接続が再開したと判断する無線通信の強度の閾値より相対的に低く設定する、請求項６の情報処理システムにおける情報処理方法。
【請求項８】
入力部、出力部、記憶部、処理部を有し、さらに携帯情報端末との通信を行う通信部と、認証デバイスとの接続を行う認証デバイス接続部を有し、上記記憶部および処理部は、上記入力部および出力部とネットワークを介して接続可能な情報処理システムであって、
上記入力部に入力された第１の認証情報を、上記認証デバイスに送信し、上記第１の認証情報を用いた第１の認証処理の実行を指示する第１認証指示手段と、
上記認証デバイスから上記第１の認証処理が成功した旨の返信を受信した後、上記第１の認証情報を上記記憶部に格納する第１認証情報格納手段と、
上記認証デバイスから上記第１の認証処理が成功した旨の返信を受信した後、上記入力部から入力された第２の認証情報を用いて、上記処理部による第２の認証処理の実行を指示する第２認証指示手段と、
上記第２の認証処理が成功した後、上記認証デバイスに上記第２の認証情報を送信し、格納を指示する第２認証情報格納手段と、
上記入力部に入力された第３の認証情報を上記記憶部に格納する第３認証情報格納手段と、
上記通信部によって、上記携帯情報端末との通信を行う通信手段と、
上記第３の認証情報を用いて、上記携帯情報端末との連携の有無を判断する接続機器判定手段と、
上記連携を有する携帯情報端末と上記通信部との間の、無線通信の状態を判断する無線接続状態監視手段と、
上記無線通信の状態に基づいて、情報処理システムの少なくとも一部に対する操作を制限する操作状態変更手段と、を有し、
上記操作状態変更手段は、
上記連携を有する携帯情報端末と上記通信部との間の無線通信が切断されるか、受信信号強度が所定閾値を下回るか、あるいは、エラーレートが所定閾値を上回る場合、操作を制限する情報処理システム。